(57)【要約】【課題】媒体に印影を表示することなく、顧客が登録している印鑑を判別することができる、印鑑外観画像表示システムを提供する。【解決手段】顧客が登録する印鑑の外観画像を取得し、印鑑外観画像を印鑑表示シ−ルに印刷し、媒体に貼付して表示する。これにより、顧客が金融機関に複数の印鑑を登録している場合でも、印鑑の外観によって、顧客は印鑑を判別することができる。また、顧客が登録している印鑑の印影を表示することなく、顧客は印鑑の外観によって印鑑を判別することができ、顧客が媒体を紛失した場合でも印鑑の偽造を防ぐことができる。【選択図】　図１
2004145764.tif 000002
【特許請求の範囲】
【請求項１】
画像デ−タを取得する画像取得装置と、画像デ−タを印刷する印刷装置とを有する窓口端末を備え、
前記画像取得装置が印鑑外観画像を取得し、前記印刷装置が媒体に貼付する印鑑表示シ−ルに前記印鑑外観画像を印刷して前記媒体に表示することを特徴とする印鑑外観画像表示システム。
【請求項２】
請求項１において、
前記画像取得装置をカメラとすることを特徴とする印鑑外観画像表示システム。
【請求項３】
請求項１または請求項２において、
前記印鑑表示シ−ルに、顧客が前記媒体に表示を希望するキ−ワ−ドを印刷することを特徴とする印鑑外観画像表示システム。
【請求項４】
請求項１、請求項２または請求項３において、
前記印鑑外観画像を取得するときに、印鑑の実際の寸法を表す目盛を前記印鑑外観画像と共に取得することを特徴とする印鑑外観画像表示システム。
【請求項５】
請求項１から請求項３または請求項４において、
前記印鑑外観画像を取得するための印鑑外観画像取得用紙に、前記印鑑外観画像の画像デ−タ取得領域を設けたことを特徴とする印鑑外観画像表示システム。
【請求項６】
請求項５において、
前記印鑑外観画像取得用紙が複数種類ある場合に、その印鑑外観画像取得用紙毎にコ−ドを設定し、該コ−ドによって前記画像デ−タ取得領域を指定することを特徴とする印鑑外観画像表示システム。
【請求項７】
請求項１から請求項５または請求項６において、
前記印鑑表示シ−ルに印鑑の印面の文字が読取れないように、印鑑を画像デ−タ取得領域に載置することを特徴とする印鑑外観画像表示システム。
【請求項８】
請求項１から請求項６または請求項７において、
前記窓口端末を管理サ−バと接続し、該管理サ−バに前記印鑑外観画像を格納して登録することを特徴とする印鑑外観画像表示システム。
【請求項９】
請求項１から請求項７または請求項８において、
前記窓口端末を金融機関の上位装置と接続し、前記印鑑外観画像を登録するときに、前記金融機関の上位装置に印鑑付属情報を送信し、該上位装置に格納されている顧客情報と照合可能としたことを特徴とする印鑑外観画像表示システム。
【請求項１０】
金融機関の上位装置と、印鑑外観画像表示システムを管理する管理サ−バとに接続し、前記印鑑外観画像を取得する画像取得装置と、前記印鑑外観画像を印鑑表示シ−ルに印刷する印刷装置とを有する窓口端末の制御部を、
顧客の印鑑付属情報の入力を受付ける受付手段と、前記上位装置に送信された前記印鑑付属情報と前記上位装置に格納されている顧客情報との照合結果を前記上位装置から受信する受信手段と、前記印鑑外観画像を取得する画像取得手段と、前記印鑑外観画像を表示する表示手段と、前記上位装置で前記顧客情報と照合された前記印鑑付属情報と前記印鑑外観画像とを前記管理サ−バに送信する送信手段と、前記印鑑外観画像を印刷する印刷手段として機能させることを特徴とする印鑑外観画像表示システムの窓口端末のプログラム。
【発明の詳細な説明】
【０００１】
【発明の属する技術分野】
本発明は、金融機関等で顧客の印鑑の外観画像を取得し、媒体に表示する印鑑外観画像表示システムおよびその窓口端末のプログラムに関する。
【０００２】
【従来の技術】
従来、金融機関等において、顧客が預金口座の開設や改印届等の印鑑登録を行うときには、顧客は所定の欄に必要事項を記入して署名および登録する印鑑を押印した印鑑票や口座開設依頼書を金融機関の応対窓口の担当者（以下、窓口担当者という。）に提出して印鑑の登録を行う。
【０００３】
このようにして得た預金通帳等の媒体の裏表紙には、「お届け印」の表示欄が設けられており、窓口担当者は、顧客が登録する印鑑の印影を媒体の所定の欄に押印または印影が押印されたものを媒体に貼付して透明シ−ト等によって封印する。
また、顧客は預金引出しの取引を行うために、金融機関にデ−タとして登録した印鑑を取引に必要な提出書類に押印し、提出書類を媒体と共に窓口担当者に提出する。
【０００４】
窓口担当者は、提出書類に押印された印影と、預金通帳等の媒体に表示されている印影、または、金融機関に登録されている印鑑の印影とを照合し、印影の正当性を確認する。
【０００５】
【発明が解決しようとする課題】
しかしながら、上述した従来の技術においては、預金通帳等の媒体に印鑑登録した印影が表示されているため、顧客が媒体を紛失した場合、媒体に表示されている印影から、印鑑を偽造することができるという問題がある。
そのため、媒体に印影を表示することを廃止する金融機関が増えてきているが、顧客が金融機関に複数の印鑑を登録している場合に、それぞれの取引を行うための印鑑が判別できなくなるという問題がある。
【０００６】
また、金融機関では安全性の確保から、顧客の問合せに対して印影を提示することができないため、顧客の利便性が低下するという問題点がある。
そこで、本発明は、媒体に印影を表示することなく、顧客が登録している印鑑を判別することができる印鑑外観画像表示システムを提供することを目的とする。
【０００７】
【課題を解決するための手段】
本発明は、上記課題を解決するために、画像デ−タを取得する画像取得装置と、画像デ−タを印刷する印刷装置とを有する窓口端末を備え、画像取得装置が印鑑外観画像を取得し、印刷装置が媒体に貼付する印鑑表示シ−ルに印鑑外観画像を印刷して表示することを特徴とする。
【０００８】
また、金融機関の上位装置と、印鑑外観画像表示システムを管理する管理サ−バとに接続し、印鑑外観画像を取得する画像取得装置と、印鑑外観画像を印鑑表示シ−ルに印刷する印刷装置とを有する窓口端末の制御部を、顧客の印鑑付属情報の入力を受付ける受付手段と、上位装置に送信された印鑑付属情報と上位装置に格納されている顧客情報との照合結果を上位装置から受信する受信手段と、印鑑外観画像を取得する画像取得手段と、印鑑外観画像を表示する表示手段と、上位装置で顧客情報と照合された印鑑付属情報と印鑑外観画像とを管理サ−バに送信する送信手段と、印鑑外観画像を印刷する印刷手段として機能させることを特徴とする。
【０００９】
【発明の実施の形態】
以下に、図面を参照して本発明による媒体への印鑑外観画像表示システムの実施の形態について説明する。
顧客は、預金口座の開設により、印鑑の印影を金融機関に登録する。
図１は本発明の実施の形態の構成を示すブロック図である。
【００１０】
図１において、１は窓口端末であり、金融機関の支店において、顧客の要求に応じた取引処理等を行う応対窓口等に設置されている。
２は制御部であり、窓口端末１の各部を制御する。
３は顧客の氏名、住所、口座番号等の印鑑付属情報を入力するキ−ボ−ド等の入力部であり、テンキ−やアルファベットキ−等のほかに、入力された内容の確認のための「確認」キ−や、画像デ−タの取得を開始するための「開始」キ−等を備えている。
【００１１】
４は表示部であり、印鑑外観画像や印鑑付属情報等を表示する。
５は画像取得装置であり、例えば図２に示すように、後述する印鑑外観画像取得用紙上に載置された印鑑の印鑑外観画像を撮影して取得するフィルムカメラやデジタルカメラ等のカメラからなる。
６は印刷装置であり、画像取得装置５で取得された印鑑外観画像を印鑑表示シ−ルに印刷する。
【００１２】
７は印鑑外観画像表示システムを管理する管理サ−バであり、金融機関の支店等に設置された窓口端末１とは、ネットワ−クを介して接続しており、印鑑登録された印影や、窓口端末１で取得された印鑑外観画像等を格納する印鑑情報デ−タベ−ス（以下、印鑑情報ＤＢという。）８を有する。
９は金融機関のセンタに設置されているホストコンピュ−タで、顧客の口座番号、預金残高等の顧客情報を管理する顧客情報ファイル等を有し、金融機関の支店等とネットワ−クを介して接続している。
【００１３】
図３において、１０は印鑑の実際の寸法を表すための格子状目盛で、印鑑外観画像等を取得するための印鑑外観画像取得用紙の画像デ−タ取得領域に設けられている。
１１は印鑑外観画像の画像デ−タ取得領域を表すマ−クとしての領域マ−クであり、印鑑外観画像取得用紙に画像デ−タ取得領域の四角を示すために設けられ、印鑑外観画像の取得を行うとき、印鑑は領域マ−ク１１で囲まれた領域に載置される。
【００１４】
上述した構成の作用について説明する。
以下に、図４に示す本発明の実施の形態を示すフロ−チャ−トを用い、Ｓで示すステップに従って、顧客が既に印影を登録した印鑑の印鑑外観画像を登録する場合について説明する。
Ｓ１、顧客が印鑑外観画像の登録を行う場合、顧客は図３に示すような印鑑外観画像取得用紙に氏名、住所、口座番号等の印鑑付属情報を記入し、印鑑と共に、窓口担当者に提出する。
【００１５】
Ｓ２、所定の事項を記入した印鑑外観画像取得用紙を受け取った窓口担当者は、印鑑外観画像取得用紙に記入された印鑑付属情報を入力部３より入力し、入力内容を確認して入力部３の「確認」ボタンを押す。
Ｓ３、窓口担当者が「確認」ボタンを押すと、制御部２は印鑑付属情報を金融機関のホストコンピュ−タ９に送信する。
【００１６】
Ｓ４、印鑑付属情報を受信したホストコンピュ−タ９は、顧客情報ファイルに格納されている顧客情報と受信した印鑑付属情報とを照合し、照合された結果は窓口端末１に送信され、窓口担当者は照合の結果を確認する。
このように、印鑑付属情報と顧客情報とを照合可能とすることにより、印鑑外観画像の登録を正確に行うことができる。
【００１７】
Ｓ５、照合結果が不一致ならば、窓口担当者は顧客にその旨を伝え、ステップＳ１へ戻り、顧客は再度、印鑑外観画像取得用紙に印鑑付属情報を記入し、窓口担当者に提出する。一致ならばステップＳ６へ移行する。
Ｓ６、画像取得装置５の印鑑外観画像を取得するためのプログラムが起動する。
【００１８】
Ｓ７、プログラムが起動すると、窓口担当者は顧客により提出された印鑑外観画像取得用紙を画像取得装置５の所定の位置に載置し、外観画像を取得する印鑑の印面をシ−ト等で覆い、印鑑を領域マ−ク１１で囲まれた、印鑑外観画像の画像デ−タ取得領域に載置する。
Ｓ８、窓口担当者は画像取得装置５に印鑑を載置すると、窓口端末１の入力部３より、印鑑外観画像の撮影を開始するために「開始」ボタンを押す。
【００１９】
Ｓ９、この信号を検知した制御部２は、画像取得装置５に載置された印鑑の外観画像を撮影して取得し、印鑑外観画像取得用紙の画像デ−タ取得領域を切り出し、これを窓口端末１の表示部４に表示する。窓口担当者は印鑑外観画像の鮮明さおよび正確さ等の確認を行い、入力部３より「確認」ボタンを押す。
Ｓ１０、窓口担当者が「確認」ボタンを押すと、制御部２は取得された印鑑外観画像および印鑑付属情報をネットワ−クを介して管理サ−バ７へ送信する。
【００２０】
Ｓ１１、印鑑外観画像および印鑑付属情報を受信すると、管理サ−バ７は登録番号を採番し、印鑑情報ＤＢ８に登録番号と共に印鑑外観画像および印鑑付属情報を格納する一方、登録番号を窓口端末１に送信する。
なお、印鑑情報ＤＢ８に格納された印鑑外観画像および印鑑付属情報は、登録番号により管理される。
【００２１】
Ｓ１２、制御部２は登録番号を受信すると、印刷装置６によって印鑑外観画像を媒体の裏表紙等に貼付できる所定の大きさで印鑑表示シ−ルに印刷して排出する。
Ｓ１３、窓口担当者は図５に示すように、排出された印鑑表示シ−ルを印刷すると、発行済みの預金通帳等の媒体を破棄し、印鑑表示シ−ルを新たな媒体の裏表紙等に貼付して透明シ−ル等により封印し、媒体に表示することにより、印鑑外観画像の登録が終了する。
【００２２】
なお、本実施の形態においては、顧客が既に印鑑の印影を金融機関に登録している場合について説明したが、印鑑外観画像の登録は、印鑑の印影の登録と同時に行うようにしてもよい。
また、本実施の形態においては、印鑑外観画像および印鑑付属情報を印鑑情報ＤＢ８に格納し登録する場合について説明したが、印鑑情報ＤＢ８への格納および登録は必ずしも行わなくてもよく、金融機関への登録作業を行わず印鑑外観画像を取得し、印鑑表示シ−ルを作成して媒体に貼付し、封印するだけでもよい。
【００２３】
さらに、印鑑表示シ−ルは新たな媒体に貼付して表示するとして説明したが、発行済みの媒体の印影の表示を剥し、所定の位置に貼付して表示するようにしてもよく、印影の表示がされていない発行済みの媒体に貼付して表示するようにしてもよい。
さらに、印鑑外観画像は、フィルムカメラやデジタルカメラ等のカメラにより写真として取得し、媒体に貼付して表示するようにしてもよい。
【００２４】
さらに、管理サ−バ７は、金融機関のセンタに設置するようにしてもよく、別の施設に独立して設置するようにしてもよい。
さらに、印鑑外観画像の画像デ−タ取得領域は領域マ−ク１１を設けるのに限らず、画像デ−タ取得領域を四角等の枠で囲って設けるようにしてもよい。
このように印鑑外観画像の画像デ−タ取得領域を印鑑外観画像取得用紙に設けることにより、画像取得装置による印鑑外観画像の取得を正確に行うことができる。
【００２５】
さらに、印鑑の実際の寸法を表すための目盛は、格子状目盛１０の代わりに、スケ−ルを記載して印刷するようにしてもよい。
このように印鑑外観画像と共に印鑑の実際の寸法を表すための目盛を印刷することにより、印鑑外観画像を縮小あるいは拡大して印刷しても印鑑の実際の寸法を確認することができる。
【００２６】
さらに、印鑑外観画像を取得するときに、必ずしも印鑑の印面をシ−ト等で覆う必要はなく、印面の文字が読取れないようにすればよい。
このように印鑑の外観画像から、印鑑の印面の文字が読取れないようにすることにより、顧客が媒体を紛失した場合にも、印鑑の偽造を防ぐことができる。
さらに、印鑑外観画像を画像取得装置５により取得するとき、印鑑外観画像の画像デ−タ取得領域に、印鑑の特徴を表すために、顧客が媒体に表示を希望する、「印鑑Ａ」や「○年○月○日購入の印鑑」等のキ−ワ−ドを記載し、印鑑外観画像と共に取得するようにしてもよく、キ−ワ−ドのみを記載して取得するようにしてもよい。
【００２７】
なお、キ−ワ−ドは、それのみを媒体に記載して、透明シ−ル等により封印して表示するようにしてもよい。
このようにキ−ワ−ドを記載して表示することにより、顧客は複数の印鑑の内からその印鑑の判別を容易にすることができる。
さらに、普通預金口座や当座預金口座等の口座の種類毎に画像デ−タ取得領域の位置を変更する等の複数の印鑑外観画像取得用紙を用いる必要がある場合は、異なる画像デ−タ取得領域を有する印鑑外観画像取得用紙毎にコ−ドを設定してその座標位置を予め窓口端末１に登録しておき、窓口担当者が、印鑑付属情報を入力するときにそのコ−ドを入力し、制御部２が入力されたコ−ドにより該当する印鑑外観画像取得用紙を識別して画像デ−タ取得領域の座標位置を読出し、印鑑外観画像を切り出す画像デ−タ取得領域を指定するようにしてもよい。
【００２８】
このように印鑑外観画像の画像デ−タ取得領域を指定するためのコ−ドを設定し、コ−ド毎に印鑑外観画像の画像デ−タ取得領域の座標位置を設定することにより、常に設定された画像デ−タ取得領域で印鑑外観画像を切り出すことができる。
さらに、画像取得装置５は、金融機関の窓口に顧客が操作できるように配置して、印鑑外観画像を取得する操作を顧客自身が画像取得装置５に印鑑を載置して行えるようにしてもよい。
【００２９】
さらに、印鑑表示シ−ルは、顧客が印鑑の色により媒体に貼付された印鑑を判別できるように、カラ−で印刷するようにしてもよい。
さらに、印鑑外観画像の取得に伴い窓口担当者は、印鑑付属情報が記載された印鑑外観画像取得用紙の写しの所定の欄に登録番号を印刷し、別途印刷装置６で印鑑外観画像を印刷した印鑑表示シ−ルと合せて図６に示すようにファイル用の用紙等に貼付し、金融機関の支店等に保管するようにしてもよい。
【００３０】
【発明の効果】
以上述べたように、本発明は、顧客が金融機関に複数の印鑑を登録している場合でも、印鑑の外観によって、顧客は印鑑を判別することができるという効果が得られる。
また、画像取得装置が印鑑外観画像を撮影して取得し、印刷装置で印鑑表示シ−ルを印刷し、媒体に貼付して表示することにより、顧客が登録している印鑑の印影を表示することなく、顧客は印鑑の外観によって印鑑を判別することができ、顧客が媒体を紛失した場合でも印鑑の偽造を防ぐことができるという効果が得られる。
【図面の簡単な説明】
【図１】本発明の実施の形態の構成を示すブロック図
【図２】実施の形態の画像取得装置による印鑑外観画像取得時を示す説明図
【図３】実施の形態の印鑑外観画像取得用紙例
【図４】本発明の実施の形態を示すフロ−チャ−ト
【図５】実施の形態の媒体への印鑑表示シ−ルの貼付例
【図６】実施の形態の印鑑付属情報および印鑑表示シ−ルの保管例
【符号の説明】
１　窓口端末
２　制御部
３　入力部
４　表示部
５　画像取得装置
６　印刷装置
７　管理サ−バ
８　印鑑情報デ−タベ−ス
９　ホストコンピュ−タ
１０　格子状目盛
１１　領域マ−ク
【図１】
2004145764.tif 000003
【図２】
2004145764.tif 000004
【図３】
2004145764.tif 000005
【図４】
2004145764.tif 000006
【図５】
2004145764.tif 000007
【図６】
2004145764.tif 000008